(57)【要約】【課題】冷陰極放電灯の電極に接続された接続端子と点灯装置に接続されたコネクタとの不完全な接続状態に起因した不具合の発生を防ぐ。【解決手段】例えば、高電位側のコネクタ５０Ａと接続端子３６が不完全な接続状態となった場合、一方の接触子３６ａと刃受５１ａの間では異常な放電の生じる虞があるが、他方の接触子３６ｂと刃受５１ｂの間では抵抗Ｒ１，Ｒ２が冷陰極蛍光灯３の等価インピーダンスよりも高インピーダンスであるために放電が生じない。すなわち、高電位側のコネクタ５０Ａの接触子３６ｂと接続されている抵抗Ｒ１がオープン状態と等価になり、その結果、検出電圧Ｖｉが低下してウインド・コンパレータＷＣの下限値ＶＬ以下となるので、検出回路７０の出力がＨレベルになり、制御回路７１が切換スイッチ部Ｓをオフすることで直流電源ＤＣからの給電路を開放してインバータ回路ＩＮＶを停止させる。【選択図】図１
2008186633.tif 000002
【特許請求の範囲】
【請求項１】
冷陰極放電灯を光源とする放電灯器具であって、冷陰極放電灯を保持するランプホルダと、冷陰極放電灯を点灯する点灯装置と、点灯装置を支持するとともにランプホルダが着脱自在に取り付けられる器具本体と、冷陰極放電灯の電極と電気的に接続されランプホルダに支持された接続端子と、点灯装置の出力側に電気的に接続され、ランプホルダが器具本体に取り付けられたときに接続端子が電気的に接続されるコネクタとを備え、接続端子は、互いに電気的に導通した複数の接触子を有することを特徴とする放電灯器具。
【請求項２】
器具本体への取付向きに沿ってランプホルダから突出するとともに互いの突出寸法が異なる前記複数の接触子と、突出寸法が短い方の接触子とコネクタとの接続状態を検出し当該接触子とコネクタが不完全な接続状態であるときに点灯装置を停止させる保護手段とを備えたことを特徴とする請求項１記載の放電灯器具。
【請求項３】
冷陰極放電灯が直管形であって、冷陰極放電灯の軸方向に沿って複数の接触子が一列に配置されるとともに突出寸法の短い方の接触子が突出寸法の長い方の接触子よりも冷陰極放電灯から遠い位置に配置されたことを特徴とする請求項２記載の放電灯器具。
【請求項４】
冷陰極放電灯を光源とする放電灯器具であって、冷陰極放電灯を保持するランプホルダと、冷陰極放電灯を点灯する点灯装置と、点灯装置を支持するとともにランプホルダが着脱自在に取り付けられる器具本体と、冷陰極放電灯の電極と電気的に接続され器具本体への取付向きに沿ってランプホルダから突出する接続端子と、点灯装置の出力側に電気的に接続され、ランプホルダが器具本体に取り付けられたときに先に接続端子と電気的に接続される第１刃受並びに第１刃受に接続された後の接続端子と電気的に接続される第２刃受を有するコネクタと、接続端子と第２刃受との接続状態を検出し当該接続端子と第２刃受が不完全な接続状態であるときに点灯装置を停止させる保護手段とを備えたことを特徴とする放電灯器具。
【発明の詳細な説明】
【技術分野】
【０００１】
本発明は、冷陰極放電灯を光源とする放電灯器具に関するものである。
【背景技術】
【０００２】
近年、各種の放電灯器具において、光源として熱陰極の蛍光灯に比べて小型で輝度の高い冷陰極放電灯（冷陰極蛍光灯）を用いたものが提供されている。例えば、放電灯器具の一種である誘導灯においては、光源として冷陰極蛍光灯を用いたいわゆる高輝度誘導灯が提供されている。
【０００３】
この種の高輝度誘導灯としては、図５〜図９に示すように、前面開口した器具本体１０と、器具本体１０の前面に取り付けられる表示ユニット２０と、冷陰極蛍光灯３を保持したランプホルダユニット３０とを備えた導光板式（若しくはパネル式と称される）のものが提供されている（例えば、特許文献１参照）。ここにおいて、器具本体１０内には、冷陰極蛍光灯３を点灯させる点灯装置４などが収納されている。また、表示ユニット２０は、表示パネル２１と、表示パネル２１の後面側に配設された導光板２２とを有し、導光板２２の上端縁に対向配置した冷陰極蛍光灯３からの光を導光板２２内での全反射により導光板２２の下端縁側に導きながら導光板２２の後面に設けた光拡散部に入射させ、光拡散部で拡散した光のうち、表示パネル２１へ向かう光を表示パネル２１の前方に出射するものである。また、ランプホルダユニット３０は、冷陰極蛍光灯３と反射板３２とこれらを保持するユニット本体たるランプホルダ３１とを備えており、表示ユニット２０が器具本体１０に取り付けられた状態において、この隙間をなくし表示ユニット２０と合わせて器具本体１０の前面開口を覆う形で器具本体１０の前面に着脱自在に取り付けられる（図６参照）。
【０００４】
ランプホルダユニット３０は、器具本体１０の前面側に位置する前板３１ａと、前面板３１ａの上端縁から後方に向かって連続一体に形成された上板３１ｂと、前板３１ａの両側縁からそれぞれ後方に向かって突設された一対の側板３１ｃと、上板３１ｂの両端部において下方に突設され金属製（例えば、アルミニウム製）の反射板３２および冷陰極蛍光灯３を支持する一対の支持台３５，３５とが連続一体に形成された合成樹脂製のユニット本体たるランプホルダ３１を備えている。ランプホルダユニット３０は、ランプホルダ３１の一対の支持台３５，３５により直管形のランプである冷陰極蛍光灯３の両端部が支持され、冷陰極蛍光灯３の電極（図示せず）に接続され且つ両端部から突出したリード線３ｂ，３ｂにそれぞれ接続された接続端子３６，３６が支持台３５，３５に下面側から着脱自在に結合される合成樹脂製のホルダブロック（図示せず）に保持され、ランプホルダ３１の後方へ突出している。反射板３２は、下面側が開放した断面Ｕ字状であって冷陰極蛍光灯３を囲む形で支持台３５，３５により支持される。ここにおいて、冷陰極蛍光灯３および反射板３２は、一対のホルダブロックをランプホルダ３１の支持台３５，３５に結合することにより、ランプホルダ３１とホルダブロックとの間に保持されることになる。
【０００５】
一方、器具本体１０において両側壁の上部の内側には、点灯装置４にそれぞれ電線５３，５３を介して接続されランプホルダユニット３０の接続端子３６，３６が前方から挿入接続されるコネクタ５０，５０が配置されている。各コネクタ５０は直方体状に形成された絶縁性のカバー５０ａの長手方向の両端面に端子挿入口５０ｂが開口されており、カバー５０ａ内には、端子挿入口５０ｂに対応する部位に端子挿入口５０ｂから挿入された接続端子３６を受ける刃受５１が収納されている。各コネクタ５０は２本の電線５３を介して点灯装置４と接続されており、電線５３とコネクタ５０を介して冷陰極蛍光灯３が点灯装置４と電気的に接続される。そして、図９に示すように器具本体１０の後壁の前面側に２本の電線５３を漏れ電流が発生しないように離間させた状態で保持するリード線保持部１４を適宜箇所に設けておくことで器具本体１０内においてコネクタ５０と点灯装置４との間を接続する電線５３の配線位置を定型化することができ、施工性などを考慮して電線５３の長さを余分に長くする必要がなく、工場出荷時に電線５３を配線しておくことができるから、施工業者がランプホルダユニット３０の取付時に配線処理をする必要がなく、施工が容易になるとともに、施工者によって漏れ電流が異なるようなことがなくなる。
【０００６】
点灯装置４は、図１０に示すように商用交流電源ＡＣの電源電圧（１００Ｖ）よりも低い脈流電圧に変換する電圧変換回路４ａと、電圧変換回路４ａで変換された脈流電圧を平滑する平滑回路４ｂと、平滑回路４ｂから出力される直流電圧によって蓄電池４ｄを充電する充電回路４ｃと、平滑回路４ｂ又は蓄電池４ｄから出力される直流電圧を電源周波数よりも高い周波数の交流電圧に変換するインバータ回路ＩＮＶと、通常時はインバータ回路ＩＮＶの入力端を平滑回路４ｂの出力端に接続し、商用交流電源ＡＣが停電したときにインバータ回路ＩＮＶの入力端を平滑回路４ｂの出力端から切り離して蓄電池４ｄの両極に接続する切換スイッチ部Ｓとを備えている。
【０００７】
インバータ回路ＩＮＶは、例えば、図１１に示すような自励発振型のプッシュプルインバータ回路で構成され、始動時にはトランスＴの２次側に接続されたバラストコンデンサＣ０を介して高電圧（始動電圧）を印加することにより冷陰極蛍光灯３を始動し、始動後はバラストコンデンサＣ０が限流要素となって略一定の高周波交流電流を冷陰極蛍光灯３に供給できるものである。また、インバータ回路ＩＮＶに供給する直流電圧を調整したり、あるいは直流電圧を数１０〜数１００Ｈｚの周波数で断続すれば、冷陰極蛍光灯３を調光することも可能である。但し、このように自励発振型のプッシュプルインバータ回路で構成されるインバータ回路ＩＮＶは従来周知であるから、詳細な構成並びに動作説明は省略する。
【０００８】
ところで、図１１に示す回路構成においては、冷陰極蛍光灯３と点灯装置４の電気的な接続が解除された場合にインバータ回路ＩＮＶを停止する保護回路４ｅが設けられている。この保護回路４ｅはインバータ回路ＩＮＶから出力される電流を監視し、冷陰極蛍光灯３が接続されていないことで電流が流れなくなれば、切換スイッチ部Ｓを制御してインバータ回路ＩＮＶへの直流電圧の給電路を開放することでインバータ回路ＩＮＶを停止させるものである。しかしながら、冷陰極蛍光灯３と点灯装置４を電気的に接続している接続端子３６とコネクタ５０には高電圧が印加されるため、例えば、接続端子３６とコネクタ５０が微少な距離を隔てて離れているような状況において、火花放電やグロー放電などの異常放電が接続端子３６とコネクタ５０との間に発生し、点灯装置４から冷陰極蛍光灯３へ電流が流れ続けてしまうことで保護回路４ｅが動作しない虞がある。
【０００９】
これに対して特許文献２には、火花放電が発生したときに開放電圧よりも遙かに高くなるパルス状の高電圧がランプ電圧に重畳される点に着目し、かかるパルス状の高電圧を検出してインバータ回路を停止させるという技術が開示されている。また特許文献１には、ランプホルダユニット３０が器具本体１０に完全に取り付けられた際にクリック音を発生させることにより、ランプホルダユニット３０が器具本体１０に完全に取り付けられたことを施工者がクリック音で確認できるようにしている。
【特許文献１】特開２００２−２３６５７号公報
【特許文献２】特開２００５−５０５９号公報
【発明の開示】
【発明が解決しようとする課題】
【００１０】
しかしながら、ランプホルダユニット３０が器具本体１０に不完全な状態で取り付けられる、つまり、接続端子３６とコネクタ５０が不完全な接続状態になることを完全に防止することはできない。しかも、冷陰極放電灯は熱陰極放電灯と違ってフィラメントを持たないため、例えば、始動前に微少な電流がフィラメントを介して流れるか否かで接続状態を確認することができず、点灯した後の特性及びその変化によって不完全な接続状態か否かを判断しなければならない。そして、接続端子３６とコネクタ５０が不完全な接続状態で点灯装置４を起動したときに冷陰極蛍光灯３が点灯してしまう場合があり、外見からは接続異常が生じていると気づかない虞がある。しかも、このような不完全な接続状態が長時間継続すると異常な発熱を引き起こすなどの不具合が生じてしまう。
【００１１】
本発明は上記事情に鑑みて為されたものであり、その目的は、冷陰極放電灯の電極に接続された接続端子と点灯装置に接続されたコネクタとの不完全な接続状態に起因した不具合の発生を防ぐことができる放電灯器具を提供することにある。
【課題を解決するための手段】
【００１２】
請求項１の発明は、上記目的を達成するために、冷陰極放電灯を光源とする放電灯器具であって、冷陰極放電灯を保持するランプホルダと、冷陰極放電灯を点灯する点灯装置と、点灯装置を支持するとともにランプホルダが着脱自在に取り付けられる器具本体と、冷陰極放電灯の電極と電気的に接続されランプホルダに支持された接続端子と、点灯装置の出力側に電気的に接続され、ランプホルダが器具本体に取り付けられたときに接続端子が電気的に接続されるコネクタとを備え、接続端子は、互いに電気的に導通した複数の接触子を有することを特徴とする。
【００１３】
請求項２の発明は、請求項１の発明において、器具本体への取付向きに沿ってランプホルダから突出するとともに互いの突出寸法が異なる前記複数の接触子と、突出寸法が短い方の接触子とコネクタとの接続状態を検出し当該接触子とコネクタが不完全な接続状態であるときに点灯装置を停止させる保護手段とを備えたことを特徴とする。
【００１４】
請求項３の発明は、請求項２の発明において、冷陰極放電灯が直管形であって、冷陰極放電灯の軸方向に沿って複数の接触子が一列に配置されるとともに突出寸法の短い方の接触子が突出寸法の長い方の接触子よりも冷陰極放電灯から遠い位置に配置されたことを特徴とする。
【００１５】
請求項４の発明は、上記目的を達成するために、冷陰極放電灯を光源とする放電灯器具であって、冷陰極放電灯を保持するランプホルダと、冷陰極放電灯を点灯する点灯装置と、点灯装置を支持するとともにランプホルダが着脱自在に取り付けられる器具本体と、冷陰極放電灯の電極と電気的に接続され器具本体への取付向きに沿ってランプホルダから突出する接続端子と、点灯装置の出力側に電気的に接続され、ランプホルダが器具本体に取り付けられたときに先に接続端子と電気的に接続される第１刃受並びに第１刃受に接続された後の接続端子と電気的に接続される第２刃受を有するコネクタと、接続端子と第２刃受との接続状態を検出し当該接続端子と第２刃受が不完全な接続状態であるときに点灯装置を停止させる保護手段とを備えたことを特徴とする。
【発明の効果】
【００１６】
請求項１の発明によれば、互いに電気的に導通した複数の接触子のうちの少なくとも何れか一つがコネクタと完全に接続されていれば、例え他の接触子が不完全な接続状態であっても冷陰極放電灯と点灯装置を正常に電気的に接続することができるため、冷陰極放電灯の電極に接続された接続端子と点灯装置に接続されたコネクタとの不完全な接続状態に起因した不具合の発生を防ぐことができる。
【００１７】
請求項２の発明によれば、突出寸法の短い方の接触子とコネクタとの接続状態が不完全であることを検出した保護手段が点灯装置を停止させるので、不完全な接続状態のままで冷陰極放電灯が点灯され続けるのを防ぐことができる。
【００１８】
請求項３の発明によれば、直管形の冷陰極放電灯の軸方向に沿って複数の接触子が一列に配置されるとともに突出寸法の短い方の接触子が突出寸法の長い方の接触子よりも冷陰極放電灯から遠い位置に配置されているので、保護手段による不完全な接続状態の検出が容易になる。
【００１９】
請求項４の発明によれば、接続端子とコネクタの第２刃受との接続状態が不完全であることを検出した保護手段が点灯装置を停止させるので、不完全な接続状態のままで冷陰極放電灯が点灯され続けるのを防ぐことができる。
【発明を実施するための最良の形態】
【００２０】
以下、従来技術で説明した誘導灯に本発明の技術思想を適用した実施形態について図面を参照して詳細に説明する。但し、本発明に係る放電灯器具は誘導灯に限定されるものではなく、誘導灯以外の放電灯器具全般に本発明の技術思想が適用可能である。
【００２１】
（実施形態１）
本実施形態の誘導灯の基本構成は図５〜図１１に示した従来例と共通である。したがって、従来例と共通の構成要素については同一の符号を付して適宜図示並びに説明を省略する。
【００２２】
本実施形態では、図１（ａ）に示すように接続端子３６，３６が各々２つの接触子３６ａ，３６ｂを有する二股のフォーク状に形成されるとともに、各コネクタ５０には接続端子３６の２つの接触子３６ａ，３６ｂを択一的に受ける一対の刃受５１ａ，５１ｂが設けられている。２つの接触子３６ａ，３６ｂは冷陰極蛍光灯３の軸方向（図１（ａ）における左右方向）に沿って一列に配置されている。またコネクタ５０の一対の刃受５１ａ，５１ｂも冷陰極蛍光灯３の軸方向に沿って一列に配置されている。ここで、一方の刃受５１ａは電線５３を介して点灯装置４のインバータ回路ＩＮＶの出力端に接続され、他方の刃受５１ｂは電線５４を介して点灯装置４の検出回路７０と接続されている。
【００２３】
点灯装置４は、図１（ｂ）に示すにように直流電源ＤＣと、切換スイッチ部Ｓと、インバータ回路ＩＮＶと、検出回路７０と、制御回路７１とを備えている。直流電源ＤＣは、図１０に示した従来例の回路図における電圧変換回路４ａ、平滑回路４ｂ、蓄電池４ｄ、充電回路４ｃで構成される。また切換スイッチ部Ｓについては図示を簡略化している。尚、以下の説明ではインバータ回路ＩＮＶの高電位側の出力端に接続されているコネクタ５０を５０Ａと表記し、インバータ回路ＩＮＶの低電位側の出力端に接続されているコネクタ５０を５０Ｂと表記する。
【００２４】
検出回路７０は、高電位側のコネクタ５０Ａの刃受５１ｂと低電位側のコネクタ５０Ｂの刃受５１ｂとの間に直列接続された抵抗Ｒ１，Ｒ２と、抵抗Ｒ１，Ｒ２の接続点と低電位側のコネクタ５０Ｂの刃受５１ａとの電位差を整流するダイオードＤ１と、整流された電圧を平滑するコンデンサＣ１と、コンデンサＣ１で平滑された検出電圧Ｖｉを基準電圧と比較するウインド・コンパレータＷＣとを有し、検出電圧Ｖｉが下限値ＶＬよりも高く且つ上限値ＶＨよりも低いときにウインド・コンパレータＷＣの出力をＬレベルとし、検出電圧Ｖｉが下限値ＶＬ以下若しくは上限値ＶＨ以上のときにウインド・コンパレータＷＣの出力をＨレベルとするものである。但し、抵抗Ｒ１，Ｒ２の抵抗値は点灯時における冷陰極蛍光灯３の等価インピーダンスに比べて十分に高い値に設定されている。また、整流用のダイオードＤ１と平滑用のコンデンサＣ１の接続点をダイオードＤ２を介して制御電源Ｖccに接続することにより、低電位側のコネクタ５０Ｂに接続不良が生じた際の検出電圧Ｖｉの上昇をクランプしている。なお、ダイオードＤ２の代わりにツェナーダイオードなどを使ってクランプしても構わない。
【００２５】
制御回路７１は、検出回路７０の出力（ウインド・コンパレータＷＣの出力）がＨレベルになると切換スイッチ部Ｓをオフすることで直流電源ＤＣからの給電路を開放してインバータ回路ＩＮＶを停止させ、検出回路７０の出力がＬレベルになると切換スイッチ部Ｓをオンすることで直流電源ＤＣからの給電路を閉結してインバータ回路ＩＮＶを動作させる。すなわち、本実施形態においては検出回路７０と制御回路７１と切換スイッチ部Ｓによって保護手段が構成されている。
【００２６】
例えば、高電位側のコネクタ５０Ａと接続端子３６が不完全な接続状態となった場合、一方の接触子３６ａと刃受５１ａの間では異常な放電の生じる虞があるが、他方の接触子３６ｂと刃受５１ｂの間では抵抗Ｒ１，Ｒ２が冷陰極蛍光灯３の等価インピーダンスよりも高インピーダンスであるために放電が生じない。すなわち、高電位側のコネクタ５０Ａの接触子３６ｂと接続されている抵抗Ｒ１がオープン状態と等価になり、その結果、検出電圧Ｖｉが低下してウインド・コンパレータＷＣの下限値ＶＬ以下となるので、検出回路７０の出力がＨレベルになり、制御回路７１が切換スイッチ部Ｓをオフすることで直流電源ＤＣからの給電路を開放してインバータ回路ＩＮＶを停止させる。また、低電位側のコネクタ５０Ｂと他方の接続端子３６が不完全な接続状態となった場合、同様に低電位側のコネクタ５０Ｂの接触子３６ｂと接続されている抵抗Ｒ２がオープン状態と等価になり、その結果、検出電圧Ｖｉが上昇してウインド・コンパレータＷＣの上限値ＶＨ以上なるので、検出回路７０の出力がＨレベルになり、制御回路７１が切換スイッチ部Ｓをオフすることで直流電源ＤＣからの給電路を開放してインバータ回路ＩＮＶを停止させる。よって、何れのコネクタ５０Ａ，５０Ｂと接続端子３６，３６が不完全な接続状態になったとしても保護手段（検出回路７０、制御回路７１、切換スイッチ部Ｓ）がインバータ回路ＩＮＶを停止するため、不完全な接続状態のままで冷陰極蛍光灯３が点灯され続けるのを防ぐことができる。
【００２７】
ここで、保護手段を備える代わりに、図２に示すようにコネクタ５０の一対の刃受５１ａ，５１ｂを並列接続するだけでも構わない。つまり、互いに電気的に導通した複数の接触子３６ａ，３６ｂのうちの少なくとも何れか一つがコネクタ５０（刃受５１ａ，５１ｂ）と完全に接続されていれば、例え他の接触子３６ａ又は３６ｂが不完全な接続状態であっても冷陰極蛍光灯３と点灯装置４を正常に電気的に接続することができるため、コネクタ５０と接続端子３６が不完全な接続状態になり難くいものである。
【００２８】
なお、図３に示すように２つの接触子３６ａ，３６ｂのうちで検出回路７０に接続されている接触子３６ｂの突出寸法を接触子３６ａの突出寸法よりも短くすれば、ランプホルダユニット３０を器具本体１０から取り外す際、突出寸法が長い方の接触子３６ａが刃受５１ａと接触導通した状態で突出寸法が短い方の接触子３６ｂが刃受５１ｂから離れるため、保護手段によってインバータ回路ＩＮＶの動作が停止するまでの期間に接続端子３６とコネクタ５０の間に異常な放電が生じるのを防ぐことができる。また、ランプホルダユニット３０を器具本体１０から取り外す場合、両端の接続端子３６が各コネクタ５０から略同時に外されることはごく稀であり、大概は、一方の接続端子３６とコネクタ５０が先に外された後に他方の接続端子３６とコネクタ５０が外されるため、片側の接続端子３６とコネクタ５０のみが不完全な接続状態となる場合が多い。したがって、図３に示すように検出回路７０に接続されている接触子３６ｂを接触子３６ａに対して冷陰極蛍光灯３から遠い位置（ランプホルダユニット３０における外側の位置）に配置すれば、不完全な接続状態をより早く且つ確実に検出してインバータ回路ＩＮＶの動作を停止させることができる。
【００２９】
ところで、従来技術で説明したように、冷陰極放電灯（冷陰極蛍光灯３）は熱陰極放電灯と違ってフィラメントを持たないため、例えば、始動前に微少な電流がフィラメントを介して流れるか否かで接続状態を確認することができず、点灯した後の特性及びその変化によって不完全な接続状態か否かを判断しなければならない。しかしながら、始動時には点灯装置４から定常点灯時よりも高い始動電圧が冷陰極蛍光灯３の各電極に印加されるため、接続端子３６とコネクタ５０が不完全な接続状態であると異常な放電を引き起こす虞があり、よって、冷陰極蛍光灯３の始動前に接続状態を検出することが望ましい。
【００３０】
ここで、本実施形態における点灯装置４においては、ランプホルダユニット３０を器具本体１０に取り付けた状態でインバータ回路ＩＮＶの出力端と検出回路７０の入力端とが接続端子３６並びにコネクタ５０を介して並列接続されるはずであるから、例えば、冷陰極蛍光灯３の始動前に直流電源ＤＣの電源電圧を通常時よりも低い電圧とすることでインバータ回路ＩＮＶの出力電圧を始動電圧よりも十分に低い電圧とし、この状態で検出回路７０に入力する電圧（検出電圧Ｖｉ）を基準電圧（上限値ＶＨ’並びに下限値ＶＬ’）と比較し、検出電圧Ｖｉが下限値ＶＬ’よりも高く且つ上限値ＶＨ’よりも低ければ完全な接続状態であると判断して直流電源ＤＣの電源電圧を通常時の電圧に上げることでインバータ回路ＩＮＶの出力電圧を始動電圧まで上昇させて冷陰極蛍光灯３を始動し、反対に検出電圧Ｖｉが下限値ＶＬ’以下又は上限値ＶＨ’以上であれば制御回路７１が切換スイッチ部Ｓをオフすることで直流電源ＤＣからの給電路を開放してインバータ回路ＩＮＶを停止させる。このようにすれば、冷陰極蛍光灯３の始動前に接続状態を検出し、不完全な接続状態であれば保護手段によってインバータ回路ＩＮＶの動作を停止させ、より安全性を高めることができる。なお、始動前と始動後（点灯中）では抵抗Ｒ１，Ｒ２の抵抗値やウインド・コンパレータＷＣの基準電圧の適正値が異なるので、点灯後も保護手段を機能させる場合には、抵抗Ｒ１，Ｒ２の抵抗値やウインド・コンパレータＷＣの基準電圧を始動前と始動後で切り換える回路構成を設ければよい。なお、インバータ回路ＩＮＶを他励式のインバータ回路とした場合であれば、インバータ回路ＩＮＶの発振周波数（スイッチング素子Ｑ１，Ｑ２のスイッチング周波数）を変化させることで出力調整すればよく、図１（ｂ）に示したインバータ回路ＩＮＶの回路構成に限定されるものではない。
【００３１】
（実施形態２）
実施形態１ではランプホルダユニット３０の接続端子３６の構造と器具本体１０のコネクタ５０の構造の双方を従来例から変更する必要がある。これに対して本実施形態は、ランプホルダユニット３０の接続端子３６を単一の接触子のみからなる従来例と共通の構造とし、器具本体１０のコネクタ５０の構造のみを変更することで実施形態１に対してコストダウンを図ったものである。以下、図４を参照して本実施形態の特徴となるコネクタ５０の構造について説明する。但し、コネクタ５０以外の構成については実施形態１と共通であるから、共通の構成要素には同一の符号を付して図示並びに説明を省略する。
【００３２】
本実施形態におけるコネクタ５０は、図４に示すようにコネクタ５０における一対の刃受５１ａ，５１ｂが接続端子３６の挿入向きに沿って一列に配置されており、挿入向きの手前側に配置された第１刃受５１ａが最初に接続端子３６と電気的に接続され、挿入向きの奥側に配置された第２刃受５１ｂが第１刃受５１ａを貫通した接続端子３６と電気的に接続される。
【００３３】
而して、接続端子３６とコネクタ５０が不完全な接続状態、つまり、接続端子３６が第１刃受５１ａとのみ接続されて第２刃受５１ｂと接触導通していない状態になると、実施形態１で説明したように保護手段（検出回路７０、制御回路７１、切換スイッチ部Ｓ）がインバータ回路ＩＮＶを停止するため、不完全な接続状態のままで冷陰極蛍光灯３が点灯され続けるのを防ぐことができる。また、ランプホルダユニット３０を器具本体１０から取り外す際、手前側の第１刃受５１ａが接続端子３６と接触導通した状態で奥側の第２刃受５１ｂが接続端子３６から離れるため、保護手段によってインバータ回路ＩＮＶの動作が停止するまでの期間に接続端子３６とコネクタ５０の間に異常な放電が生じるのを防ぐことができる。
【図面の簡単な説明】
【００３４】
【図１】本発明の実施形態１を示し、（ａ）はランプホルダユニットと器具本体の要部を示す断面図、（ｂ）は概略回路構成図である。
【図２】同上の他の構成におけるランプホルダユニットと器具本体の要部を示す断面図である。
【図３】同上のさらに他の構成におけるランプホルダユニットと器具本体の要部を示す断面図である。
【図４】本発明の実施形態２におけるランプホルダユニットと器具本体の要部を示す断面図である。
【図５】従来例の分解斜視図である。
【図６】同上におけるランプホルダユニットと器具本体の要部を示す分解斜視図である。
【図７】同上の要部を示す断面図である。
【図８】同上におけるランプホルダユニットと器具本体の要部を示す断面図である。
【図９】同上の一部破断した正面図である。
【図１０】同上における点灯装置の回路図である。
【図１１】同上におけるインバータ回路の回路図である。
【符号の説明】
【００３５】
３  冷陰極蛍光灯（冷陰極放電灯）
４  点灯装置
１０  器具本体
３０  ランプホルダユニット
３６  接続端子
３６ａ，３６ｂ  接触子
５０  コネクタ
５１ａ，５１ｂ  刃受
７０  検出回路（保護手段）
７１  制御回路（保護手段）
Ｓ  切換スイッチ部（保護手段）
ＩＮＶ  インバータ回路
【図１】
2008186633.tif 000003
【図２】
2008186633.tif 000004
【図３】
2008186633.tif 000005
【図４】
2008186633.tif 000006
【図５】
2008186633.tif 000007
【図６】
2008186633.tif 000008
【図７】
2008186633.tif 000009
【図８】
2008186633.tif 000010
【図９】
2008186633.tif 000011
【図１０】
2008186633.tif 000012
【図１１】
2008186633.tif 000013